(57)【要約】【課題】  作業者が搭乗したままでその体重を利用して容易に均等でしかも深い溝を形成することができる乗用型溝切装置を提供する。【解決手段】  溝切装置１は、機体の進行方向に対して前方に駆動部２を且つ後方に溝切部３を設け、機体の駆動部２と溝切部３との間に、前後方向に長い搭乗場所７を設け、搭乗場所の前方には作業者が握るハンドル２１を設けた構成である。作業者４は搭乗場所２１に跨り且つハンドルを握った姿勢で、ハンドル２１を支えとして前後方向に跨り位置を滑り移動させて作業者４の重心を移動可能になっている。駆動部２は回転して機体を進行方向に進める動輪５とその軸心の回転軸６に設けたボックス１６とで構成されている。ギアボックス１６から後方に延びるフレーム１９が後方の溝切部３へと繋がれており、搭乗場所７はフレーム１９に固定されている。【選択図】  図１
2007117097.tif 000002
【特許請求の範囲】
【請求項１】
機体の進行方向に対して前方に駆動部を且つ後方に溝切部を設け、作業者が搭乗できるように構成された乗用型溝切装置において、
機体の前記駆動部と溝切部との間に、前後方向に長い搭乗場所を設け、
前記搭乗場所の前方には作業者が握るハンドルを設けてあり、
前記搭乗場所に跨り且つハンドルを握った作業者が、ハンドルを支えとして前後方向に跨り位置を滑り移動させて作業者の重心を移動可能に構成されている
ことを特徴とする乗用型溝切装置。
【請求項２】
駆動部は回転して機体を進行方向に進める動輪とその軸心の回転軸に設けられているギアボックスとで構成されていて、ギアボックスから後方に延びるフレームが後方の溝切部へと繋がれており、搭乗場所は前記フレームに固定されていることを特徴とする請求項１記載の乗用型溝切装置。
【発明の詳細な説明】
【技術分野】
【０００１】
本発明は、圃場に給排水を速やかに行うための溝を形成する乗用型溝切装置に関する。
【背景技術】
【０００２】
従来、圃場（水田）に給排水を速やかに行い作物の生育を良好にする目的で溝切作業が行われているが、従来から使用されている作業者歩行型の溝切機は、駆動輪の後方に三角板を取付け、その三角板を作業者が地面に押し付けながら駆動輪に牽引されることで溝を形成していく溝切機が主流となっている。また乗用のものでは田植機のような４輪の作業機の後方に溝切板を複数取付け、地面に押し付けながら溝を形成していく溝切機は公知である。
【０００３】
実開昭６４−１９６５４号公報のように溝切板をそろばんの玉型にしたものや、実開昭６２−６０１０１号公報のようにエンジンの重量を駆動輪に付加して推進力を増し、水田の土が若干固くなっても溝を形成できるようにしたものや、実開昭５５−８７４２号公報のように、作業者が搭乗できる補助台板の底面に溝切部を設けて、作業者が搭乗して溝を切る溝切機も既に公知である。
【０００４】
【特許文献１】実開昭６４−１９６５４号公報
【特許文献２】実開昭６２−６０１０１号公報
【特許文献３】実開昭５５−８７４２号公報
【発明の開示】
【発明が解決しようとする課題】
【０００５】
乗用の４輪作業機での溝切作業は作業者にとって楽な作業であるが、旋回時の稲の踏みつけや溝同士の接続がうまく出来なかったり、作業機の水田への入退場で畦を壊してしまうなどの不具合点が多くいまだ普及に至っていない。
【０００６】
歩行型の上記特許文献、実開昭６４−１９６５４号公報や実開昭６２−６０１０１号公報のように若干水田の土が固くなっても作業できるよう考案された溝切機は、溝切板を地面に押し付ける労力は結局作業者が請け負うことになるので決して楽な作業であるとは言えないし、実開昭５５−８７４２号公報では、乗用であるものの作業者の重心が溝切板より後方にあるので駆動部が空転する可能性が高く、空転防止をするためには駆動部の重量を重くする必要がある。溝切機自体の重量が増えることは作業者にとって扱いづらい機械になってしまうので、良好な溝切作業が出来るとは言いがたい。
【０００７】
そこで、本発明は作業者が乗用可能でしかも歩行型と同等に軽くまた、作業者が搭乗したままでその体重を利用して均等でしかも深い溝を形成できる乗用型溝切装置を提供することを目的とする。
【課題を解決するための手段】
【０００８】
上記目的を達成するために、本発明は請求項１及び請求項２に係わる乗用型溝切装置を提案するものである。
【０００９】
即ち、請求項１に係わる乗用型溝切装置は、機体の進行方向に対して前方に駆動部を且つ後方に溝切部を設け、作業者が搭乗できるように構成された乗用型溝切装置において、機体の前記駆動部と溝切部との間に、前後方向に長い搭乗場所を設け、前記搭乗場所の前方には作業者が握るハンドルを設けてあり、前記搭乗場所に跨り且つハンドルを握った作業者が、ハンドルを支えとして前後方向に跨り位置を滑り移動させて作業者の重心を移動可能に構成されていることを特徴とするものである。
【００１０】
また、請求項２に係わる乗用型溝切装置は、請求項１記載のものにおいて、駆動部は回転して機体を進行方向に進める動輪とその軸心の回転軸に設けられているギアボックスとで構成されていて、ギアボックスから後方に延びるフレームが後方の溝切部へと繋がれており、搭乗場所は前記フレームに固定されていることを特徴とするものである。
【発明の効果】
【００１１】
本発明によれば、溝切装置の駆動部と溝切装置の間に作業者の重心があるので、作業者が搭乗したままでその体重を利用して容易に均等でしかも深い溝を形成することが出来る。なお、作業者が搭乗場所を前後に容易に移動できるので、作業者の重心は前後の接地部に対して重量配分を調節でき、水田が軟弱で溝切部で形成される溝が深くなりすぎる場合及び、駆動部が空転をして作業機が進行しない場合には、作業者の重心を駆動部方向に移動して溝切部へ加わる重量を軽くすることで溝の深さを浅く、また作業機の駆動部へ加わる重量を増して接地圧を増幅し、車輪が空転することなく良好に走行させることができるものである。
【発明を実施するための最良の形態】
【００１２】
図１には本発明の一実施の形態に係わる乗用型溝切装置の全体側面図、図２は同上概略平面図、図３は同上概略平面図及び断面詳細図、図４は本発明の他の実施の形態に係わる乗用型溝切装置の平・正面図及び断面詳細図である。
【００１３】
機体の進行方向に対して前方に駆動部２を且つ後方に溝切部３を設け、作業者４が搭乗できるように構成された溝切装置１であって、乗用型溝切装置１に搭乗した作業者の重心８が駆動部２の動輪５の軸心の回転軸６から溝切部３の外端までにあるように作業者４の搭乗場所７を設けており、作業者４の搭乗場所７は、溝切装置１に搭乗した作業者の跨った位置の移動及びそれに必要に応じて前傾又は後傾姿勢を伴わせることにより作業者の重心８が駆動部２の動輪５の軸心の回転軸６から溝切部３の外端までを移動可能としている。なお、作業者の重心８の範囲が、駆動部２の動輪５の軸心の回転軸６から溝切部３の外端までとは、駆動部２の動輪５の軸心の回転軸６の中心から前記回転軸６の中心を基点として溝切部３の最も離れた部分までの距離とし、駆動部２の接地面と溝切部３の接地面での重量配分で表すと、１対９９から９９対１の範囲が良好である。
【００１４】
本発明の溝切部３は、進行方向に対して土を切り分ける三角形状で、底面には耕盤１１と平行となる平面１０を備えた三角溝切板２０、または進行方向に対して回転しながら土を押し切る回転式の円盤１２で、円盤１２の断面はそろばん玉型形状のものとがある。
【００１５】
溝切装置１は、進行方向の前方に駆動部２を且つ後方に溝切部３が設けられている。駆動部２は回転して溝切装置１を進行方向に進める動輪５（滑り止め２３を装着した車輪１５）とその軸心の回転軸６に設けられているギアボックス１６と、機体の走向によって稲の葉若しくは茎を動輪５に巻込まないように保護する保護板２６から構成されていて、ギアボックス１６は作業者４の後方にあるエンジン１７から動力を動力伝達軸１８を経由してギアボックス１６に達し車輪１５を駆動させている。
【００１６】
ギアボックス１６の一部からフレーム１９が後方の溝切部３の三角溝切板２０へと繋がれて、三角溝切板２０には、土をＶ型に切るための左右の傾斜板２２・２２と土中の耕盤１１と平行となる平面１０が設けられており、三角溝切板２０に多くの重量がかかっても耕盤１１より三角溝切板２０が深く沈みこまないようになっている。フレーム１９と動力伝達軸１８とは固定部９により固定されており、その固定部９には作業者４の搭乗場所７が設けられている。
【００１７】
前記作業者４の搭乗場所７は、機体の前記駆動部２と溝切部３との間に位置していて前後方向に長く延びており、搭乗場所７の前方には作業者が握るハンドル２１を設けてあり、搭乗場所７に跨り且つハンドルを握った作業者が、ハンドル２１を握ってそれを支えとして前後方向に跨り位置を滑り移動させて作業者の重心８が前後方向に移動可能な構造となっている。ハンドル２１にはエンジン１７の回転を調節するアクセルや、車輪１５の回転のＯＮ・ＯＦＦさせるためのクラッチ、溝切装置１自体を急停止させるためのブレーキなどが作業者４の扱いやすい場所に配置されている（図示せず）。
【００１８】
溝切作業を行う場合、作業者４はハンドル２１を握った姿勢で搭乗場所７に跨り、作業者４の体重を機体に掛け、エンジン１７の回転を上げ動力を車輪１５に伝達して回転させ、機体を進行させる。
【００１９】
溝切装置１が溝切作業中に作業者４は溝の深さ、及び車輪１５の空転を確認し、溝の深さが足りないようであれば、作業者４はハンドル２１を握ってそれを支えとして搭乗場所７の跨り位置を後方に滑らせて後方に重心を移動し、溝切部３に掛かる重量を増して三角溝切板２０が地面に押し込まれ、形成する溝を深くするように働かせる。また、車輪１５が空転して溝切装置１自体の進行が阻害されるようであれば、作業者４はハンドル２１を握ってそれを支えとして搭乗場所７の跨り位置を前方に滑らせて車輪１５に掛かる重量を増して進行を滞ることなく行なわせようとする。なお、溝切部３がそろばん玉型形状の円盤１２であっても同様である。
【００２０】
図２は作業者４の重心の移動範囲を示す平面図であるが、本発明の実験の結果では駆動部２（前）、溝切部３（後）の接地面に掛かる作業者の前後重量配分は８０対２０から４０対６０の範囲がもっとも良好である。
【００２１】
なお、耕盤１１とはトラクタ等の耕起装置で耕起されていない硬い土の層で、耕起土２４とは耕起されて稲を植え込む土の層であるので水田に水を満たしている場合には軟弱な土の層を表している。３６は稲株である。
【図面の簡単な説明】
【００２２】
【図１】本発明の一実施の形態に係わる乗用型溝切装置の全体側面図である。
【図２】同上概略平面図である。
【図３】同上概略平面図及び断面詳細図である。
【図４】本発明の他の実施の形態に係わる乗用型溝切装置の平・正面図及び断面詳細図である。
【符号の説明】
【００２３】
１  溝切装置
２  駆動部
３  溝切部
４  作業者
５  動輪
６  回転軸
７  搭乗場所
８  作業者の重心
９  固定部
１０  平面
１１  耕盤
１２  円盤
１３  平面
１４  操舵装置
１５  車輪
１６  ギアボックス
１７  エンジン
１８  動力伝達軸
１９  フレーム
２０  三角溝切板
２１  ハンドル
２２  傾斜板
２３  滑り止め
２４  耕起土
２５  支軸
２６  保護板
２７  支点
３６  稲株
【図１】
2007117097.tif 000003
【図２】
2007117097.tif 000004
【図３】
2007117097.tif 000005
【図４】
2007117097.tif 000006